(57)【特許請求の範囲】
【請求項１】
各々に貴重品が吊下げられた複数の貴重品ホルダを、それぞれ挿入して挿入状態とすることが可能な複数のホルダ収納部と、
前記挿入状態の前記複数の貴重品ホルダをそれぞれ解除自在に抜止め状態にロックするホルダロック部と、
前記挿入状態の前記複数の貴重品ホルダに吊下げられた複数の貴重品が収容される空間である複数貴重品収容空間の一部を覆う一体型カバー部とを備え、
前記各貴重品ホルダは、前記挿入状態において、前記一体型カバー部と共に遮蔽領域を形成することにより、吊り下げられた前記貴重品を外部から接触不能に遮断するホルダ補助部材を有することを特徴とする、
貴重品管理装置。
【請求項２】
請求項１記載の貴重品管理装置であって、
前記ホルダ補助部材は、前記貴重品ホルダの前記ホルダ収納部への挿入状態時において、前記ホルダ収納部から遠ざかる方向の先端部に位置する正面基準位置から、所定の形成幅で鉛直方向に延長して延びるホルダ延長部を含み、前記ホルダ延長部によって前記遮蔽領域の一部を形成する、
貴重品管理装置。
【請求項３】
請求項２記載の貴重品管理装置であって、
前記一体型カバー部は、前記複数のホルダ収納部に対応して設けられた複数組の仕切部を含み、前記各組の仕切部は、前記貴重品ホルダの前記挿入状態において、前記ホルダ延長部の形成面に交差する方向において前記遮蔽領域の他の一部を形成する、
貴重品管理装置。
【請求項４】
請求項１ないし請求項３のうち、いずれか１項に記載の貴重品管理装置であって、
前記複数のホルダ収納部及び前記一体型カバー部を含む貴重品群収納領域を開閉自在とすると共に、各貴重品ホルダへの視認及び接触不能に前記貴重品群収納領域を閉鎖する閉姿勢で解除自在に扉ロック部によりロックされる扉体をさらに備える、
貴重品管理装置。
【請求項５】
各々に貴重品が吊下げられた複数の貴重品ホルダを、それぞれ挿入して挿入状態とすることが可能な複数のホルダ収納部と、
前記挿入状態の前記複数の貴重品ホルダをそれぞれ解除自在に抜止め状態にロックするホルダロック部と、
各々が前記貴重品ホルダと一体化結合可能な複数の個別カバー部とを備え、前記個別カバー部と前記貴重品ホルダとの一体化結合状態において、前記貴重品ホルダは前記ホルダ収納部に対する挿入及び取り出しが可能であり、前記各個別カバー部は、前記貴重品ホルダの前記挿入状態時に、前記貴重品ホルダに吊下げられた前記貴重品を完全に覆い、前記貴重品を外部から視認及び接触不能にする、
貴重品管理装置。
【請求項６】
請求項５記載の貴重品管理装置であって、
前記個別カバー部は、
所定の回転軸に回転可能に取り付けられ、該所定の回転軸を中心にして互いに反対方向となる第１及び第２の方向に回転することにより、一体化結合された前記貴重品ホルダの前記ホルダ収納部に対する挿入及び取り出しが可能である、
貴重品管理装置。
【請求項７】
請求項６記載の貴重品管理装置であって、
一体化結合された前記貴重品ホルダの前記ホルダ収納部からの取り出し時に、前記個別カバー部の前記第２の方向の回転を阻止するストッパーをさらに備える、
貴重品管理装置。
【請求項８】
請求項７記載の貴重品管理装置であって、
前記複数の個別カバー部間で前記所定の回転軸として共用される回転用シャフトをさらに備え、
前記ストッパーは前記回転用シャフトの形成方向に沿って、前記個別カバー部が前記回転用シャフトから取り外しが不能となるように設けられる、
貴重品管理装置。
【請求項９】
請求項５ないし請求項８のうち、いずれか１項に記載の貴重品管理装置であって、
前記複数のホルダ収納部及び前記複数の個別カバー部を含む貴重品群収納領域を開閉自在とすると共に、各貴重品ホルダ及び個別カバーへの視認及び接触不能に前記貴重品群収納領域を閉鎖する閉姿勢で解除自在に扉ロック部によりロックされる扉体をさらに備える、
貴重品管理装置。
【発明の詳細な説明】
【技術分野】
【０００１】
この発明は、鍵やカード等の貴重品の管理を行うための貴重品管理装置に関するものである。
【背景技術】
【０００２】
従来、鍵やカード等の貴重品を管理する貴重品管理装置として、例えば、特許文献１に開示された鍵管理装置がある。
【０００３】
この鍵管理装置は、鍵が吊下げられた複数の鍵ホルダが挿入される複数のホルダ収納部と、各ホルダ収納部に挿入された鍵ホルダを解除自在に抜止め状態にロックするホルダロック部と、各ホルダ収納部に挿入された鍵ホルダに吊下げられた鍵が収容される収容空間部を開閉自在とすると共に、各鍵を取出し不能に収容空間部を閉鎖する閉姿勢で解除自在に扉ロック部によりロックされる扉体と、各ホルダロック部や扉ロック部のロックを解除するカードリーダ部とを備えている。
【先行技術文献】
【特許文献】
【０００４】
【特許文献１】特開２００９−１０８５６９号公報
【発明の概要】
【発明が解決しようとする課題】
【０００５】
上記のように、上記特許文献１に開示の構造の鍵管理装置によれば、扉体を開姿勢にしても、鍵ホルダがホルダ収納部に挿入され、ホルダロック部でロックされておれば、鍵の正当なアクセス権を有さない第三者が鍵（鍵ホルダ）自体を取り出すことは不可能である。
【０００６】
しかしながら、扉体を開姿勢にした状態では鍵全体がほぼ露出してしまうため、外部から視認及び接触は十分可能である。したがって、鍵の表面に記された固有の識別番号の認識、鍵の形状等の模写等は第三者でも可能となるため、鍵等の貴重品の安全管理において不十分であるという問題点があった。
【０００７】
この発明は上記問題点を解決するためになされたもので、鍵等の貴重品を吊り下げる貴重品ホルダがホルダ収納部に挿入された状態における、貴重品の安全性を最大限に確保した貴重品管理装置を得ることを目的とする。
【課題を解決するための手段】
【０００８】
この発明に係る請求項１記載の貴重品管理装置は、各々に貴重品が吊下げられた複数の貴重品ホルダを、それぞれ挿入して挿入状態とすることが可能な複数のホルダ収納部と、前記挿入状態の前記複数の貴重品ホルダをそれぞれ解除自在に抜止め状態にロックするホルダロック部と、前記挿入状態の前記複数の貴重品ホルダに吊下げられた複数の貴重品が収容される空間である複数貴重品収容空間の一部を覆う一体型カバー部とを備え、前記各貴重品ホルダは、前記挿入状態において、前記一体型カバー部と共に遮蔽領域を形成することにより、吊り下げられた前記貴重品を外部から接触不能に遮断するホルダ補助部材を有することを特徴とする。
【０００９】
請求項２記載の貴重品管理装置は、請求項１記載の貴重品管理装置であって、前記ホルダ補助部材は、前記貴重品ホルダの前記ホルダ収納部への挿入状態時において、前記ホルダ収納部から遠ざかる方向の先端部に位置する正面基準位置から、所定の形成幅で鉛直方向に延長して延びるホルダ延長部を含み、前記ホルダ延長部によって前記遮蔽領域の一部を形成する。
【００１０】
請求項３記載の貴重品管理装置は、請求項２記載の貴重品管理装置であって、前記一体型カバー部は、前記複数のホルダ収納部に対応して設けられた複数組の仕切部を含み、前記各組の仕切部は、前記貴重品ホルダの前記挿入状態において、前記ホルダ延長部の形成面に交差する方向において前記遮蔽領域の他の一部を形成する。
【００１１】
請求項４記載の貴重品管理装置は、請求項１ないし請求項３のうち、いずれか１項に記載の貴重品管理装置であって、前記複数のホルダ収納部及び前記一体型カバー部を含む貴重品群収納領域を開閉自在とすると共に、各貴重品ホルダへの視認及び接触不能に前記貴重品群収納領域を閉鎖する閉姿勢で解除自在に扉ロック部によりロックされる扉体をさらに備える。
【００１２】
この発明に係る請求項５記載の貴重品管理装置は、各々に貴重品が吊下げられた複数の貴重品ホルダを、それぞれ挿入して挿入状態とすることが可能な複数のホルダ収納部と、前記挿入状態の前記複数の貴重品ホルダをそれぞれ解除自在に抜止め状態にロックするホルダロック部と、各々が前記貴重品ホルダと一体化結合可能な複数の個別カバー部とを備え、前記個別カバー部と前記貴重品ホルダとの一体化結合状態において、前記貴重品ホルダは前記ホルダ収納部に対する挿入及び取り出しが可能であり、前記各個別カバー部は、前記貴重品ホルダの前記挿入状態時に、前記貴重品ホルダに吊下げられた前記貴重品を完全に覆い、前記貴重品を外部から視認及び接触不能にする。
【００１３】
請求項６記載の貴重品管理装置は、請求項５記載の貴重品管理装置であって、前記個別カバー部は、所定の回転軸に回転可能に取り付けられ、該所定の回転軸を中心にして互いに反対方向となる第１及び第２の方向に回転することにより、一体化結合された前記貴重品ホルダの前記ホルダ収納部に対する挿入及び取り出しが可能である。
【００１４】
請求項７記載の貴重品管理装置は、請求項６記載の貴重品管理装置であって、一体化結合された前記貴重品ホルダの前記ホルダ収納部からの取り出し時に、前記個別カバー部の前記第２の方向の回転を阻止するストッパーをさらに備える。
【００１５】
請求項８記載の貴重品管理装置は、請求項７記載の貴重品管理装置であって、前記複数の個別カバー部間で前記所定の回転軸として共用される回転用シャフトをさらに備え、前記ストッパーは前記回転用シャフトの形成方向に沿って、前記個別カバー部が前記回転用シャフトから取り外しが不能となるように設けられる。
【００１６】
請求項９記載の貴重品管理装置は、請求項５ないし請求項８のうち、いずれか１項に記載の貴重品管理装置であって、前記複数のホルダ収納部及び前記複数の個別カバー部を含む貴重品群収納領域を開閉自在とすると共に、各貴重品ホルダ及び個別カバーへの視認及び接触不能に前記貴重品群収納領域を閉鎖する閉姿勢で解除自在に扉ロック部によりロックされる扉体をさらに備える。
【発明の効果】
【００１７】
請求項１記載の本願発明である貴重品管理装置に用いられる各貴重品ホルダは、挿入状態において、一体型カバー部と共に遮蔽領域を形成することにより、吊り下げられた貴重品を外部から接触不能に遮断するホルダ補助部材を有している。
【００１８】
このため、ホルダ収納部に挿入状態の貴重品ホルダに吊り下げられた貴重品に対し、第三者からの貴重品の接触による悪用を遮断することができるため、安全性を高めて貴重品を管理することができる効果を奏する。
【００１９】
請求項２記載の本願発明のホルダ補助部材は、正面基準位置から、所定の形成幅で鉛直方向に延長して延びるホルダ延長部を含むため、ホルダ延長部の正面基準位置からの延長部分の余裕によって、貴重品ホルダのホルダ収納部への挿入動作を損ねることなく、一体型カバー部と共に上記遮蔽領域を形成することができる。
【００２０】
請求項３記載の本願発明の一体型カバー部における各組の仕切部は、貴重品ホルダの挿入状態において、ホルダ延長部の形成面に交差する方向において遮蔽領域の他の一部を形成している。
【００２１】
このため、各組の仕切部の存在により、ホルダ延長部に対向する方向を基準として傾きを持たせた角度からの貴重品の外部からの視認をも困難にすることにより、第三者からの貴重品の視認による悪用をより効果的に抑制することができる。
【００２２】
請求項４記載の本願発明は、各貴重品ホルダへの視認及び接触不能に貴重品群収納領域を閉鎖する閉姿勢で解除自在に扉ロック部によりロックされる扉体をさらに有することにより、より一層、安全性を高めて貴重品を管理することができる効果を奏する。
【００２３】
請求項５記載の本願発明である貴重品管理装置における貴重品ホルダと一体化結合状態の各個別カバー部は、貴重品ホルダの挿入状態時に、貴重品ホルダに吊下げられた貴重品を完全に覆い、貴重品を外部から視認及び接触不能にしている。
【００２４】
このため、挿入状態の貴重品ホルダに吊り下げられた貴重品に対し、第三者からの貴重品の視認及び接触による悪用を完全に遮断することができるため、安全性を高めて貴重品を管理することができる効果を奏する。
【００２５】
請求項６記載の本願発明における個別カバー部は、所定の回転軸に回転可能に取り付けるという比較的簡単な取り付け作業により、個別カバー部の貴重品管理装置への取り付けを行うことができる。
【００２６】
請求項７記載の本願発明はストッパーをさらに備えることにより第２の方向への不必要な回転を確実に回避して、個別カバー部に一体化結合された貴重品ホルダのホルダ収納部からの取り出し処理をスムーズに行うことができる。
【００２７】
請求項８の本願発明において、ストッパーは、回転用シャフトの形成方向に沿って、個別カバー部が回転用シャフトから取り外しが不能となるように設けられるため、個別カバー部が第三者により故意に取り外されるという危険性を確実に回避することができる。
【００２８】
請求項９記載の本願発明は、各貴重品ホルダへの視認及び接触不能に貴重品群収納領域を閉鎖する閉姿勢で解除自在に扉ロック部によりロックされる扉体を有することにより、より一層、安全性を高めて貴重品を管理することができる効果を奏する。
【図面の簡単な説明】
【００２９】
【図１】本発明の実施の形態１である鍵管理装置（扉体の開状態）の正面図である。
【図２】図１の平面図（上面図）である。
【図３】実施の形態１の鍵管理装置の正面図（扉体の閉状態）である。
【図４】図１の側面図である。
【図５】実施の形態１における鍵が吊下げられた鍵ホルダの斜視図である。
【図６】実施の形態１の鍵ホルダの詳細を示す説明図である。
【図７】鍵ホルダのホルダ収納部への挿入時の初期動作を模式的に示す斜視図である。
【図８】ホルダ収納部に挿入された鍵ホルダとキーカバーとの関係を示す説明図である。
【図９】ホルダ収納部部分の断面説明図（鍵ホルダ装着前）である。
【図１０】ホルダ収納部部分の断面説明図（鍵ホルダ装着後）である。
【図１１】実施の形態１の鍵管理装置の制御構造を模式的に示すブロック図である。
【図１２】本発明の実施の形態２である鍵管理装置の正面図である。
【図１３】実施の形態２で用いられる個別キーカバーの構造を示す説明図である。
【図１４】実施の形態２の鍵ホルダの詳細を示す説明図である。
【図１５】実施の形態２における個別キーカバーと鍵ホルダとの一体化結合状態を示す説明図である。
【図１６】一体化結合した鍵ホルダ及び個別キーカバーのホルダ収納部への挿入状況を模式的に示す説明図（断面図）である。
【図１７】一体化結合した鍵ホルダ及び個別キーカバーのホルダ収納部への挿入状況を模式的に示す説明図（斜視図）である。
【発明を実施するための形態】
【００３０】
＜実施の形態１＞
図１はこの発明の実施の形態１である鍵管理装置の正面図（扉体３の開状態）である。図２は図１の平面図（上面図）である。図３は実施の形態１の鍵管理装置の正面図（扉体３の閉状態）である。図４は図１の側面図である。なお、図１において、説明の都合上、扉体３の図示を省略している。
【００３１】
以下、図１〜図４に示されるように、貴重品管理装置である実施の形態１の鍵管理装置１は、筐体状に形成された装置本体２を備え、装置本体２における正面側（前面側）の高さ方向中間部および下部には、下端部で回動自在に取付けられた扉体３（図３参照）がそれぞれ備えられている。
【００３２】
すなわち、図３に示されるように、各扉体３の裏面側における下端部両側に、扉体３を装置本体２にそれぞれ回動自在に支持するための回動支持部４が備えられている。
【００３３】
そして、図示しない各扉開付勢バネの付勢力により、図４の仮想線で示されるように、扉体３が開姿勢に回動操作されるように構成されている。また、この扉体３の開姿勢より扉体３を閉じる場合には、扉体３を閉方向に漸次回動操作していけばよい。
【００３４】
図１に示されるように、装置本体２側には、貴重品である鍵１０がワイヤ１１等により吊下げられた鍵ホルダ１２（貴重品ホルダ）が挿入されるホルダ収納部１４が、横方向に複数並設されている。
【００３５】
また、複数のホルダ収納部１４の下方に、ホルダ収納部１４に挿入状態の複数の鍵ホルダ１２に吊り下げられた複数の鍵１０が収容される空間である鍵群収容空間（複数貴重品収容空間）を半分以上覆う一体型カバー部であるキーカバー５が設けられている。
【００３６】
（鍵ホルダ１２の構造）
図５は鍵が吊下げられた鍵ホルダの斜視図である。図６は鍵ホルダの詳細を示す説明図である。図６において、同図(a) が平面構造、同図(b) が側面構造、同図(c) が正面構造をそれぞれ示している。
【００３７】
これらの図に示すように、各鍵ホルダ１２は、扁平なブロック状に形成された本体部１２ａと、本体部１２ａの先端部に結合された中間結合部１２ｂと、中間結合部１２ｂに結合され正面側に位置する表示部１２ｃと、表示部１２ｃから鉛直方向に延長して延びるホルダ延長部１２ｆと、本体部１２ａの上面の一部に設けられたロック凹部１２ｅとを有している。また、鍵ホルダ１２の下面には後述する凹部１２ｄ（図５，図６では図示せず、）が設けられる。さらに、本体部１２ａの下面側に設けられた図示しないワイヤ取り付け部にワイヤ１１が取付けられる。また、ワイヤ１１にはワイヤ結合部材１３が設けられる。
【００３８】
図６の(b) ，(c) に示すように、ホルダ延長部１２ｆは、本体部１２ａから少し幅広く形成された後、鉛直方向に延びる略矩形状を呈している。そして、図１に示すように、ホルダ収納部１４への鍵ホルダ１２の挿入状態時において、表示部１２ｃ及びホルダ延長部１２ｆは、キーカバー５と共に鍵１０に対する外部からの（装置本体２の正面側からの）遮蔽領域を形成することにより、ワイヤ１１に吊り下げられた鍵１０を外部から接触不能に遮断するホルダ補助部材として機能している。また、上記遮蔽領域により鍵１０の表面に記入された識別番号等の外部からの視認は実質的に不可能となる。
【００３９】
図７は鍵ホルダ１２のホルダ収納部１４への挿入動作を模式的に示す斜視図である。同図及び図１に示すように、キーカバー５には互いに管理装置１の側面方向に沿って遮蔽領域を形成する一組の仕切部５ａ，５ａが１単位の鍵ホルダ１２に対応して複数組設けられている。なお、図７では説明の都合上、一組の仕切部５ａ，５ａのみ示しているが、実際には、図１に示すように、複数のホルダ収納部１４に対応して複数組の仕切部５ａ，５ａが設けられている。
【００４０】
図７に示すように、鍵１０の正当なアクセス権を有するアクセス権利者は、鍵ホルダ１２の本体部１２ａ少し上向きに傾けながら、キーカバー５と仕切部５ａ，５ａ内に形成される鍵収容空間内に鍵１０を挿入した状態で、図７では図示しないホルダ収納部１４に対向するように鍵ホルダ１２を仮配置する。この状態で、指５０で鍵ホルダ１２の本体部１２ａが図示しないホルダ収納部１４に挿入されるように押し込む。その結果、上記鍵収容空間内に鍵１０を収容した状態で鍵ホルダ１２の本体部１２ａをホルダ収納部１４内に挿入することができる。なお、「アクセス権」とは、ホルダ収納部１４に挿入された鍵ホルダ１２を解除自在に抜止め状態にロックするホルダロック部１７によるロック状態を解除できる権利を意味する。
【００４１】
図８はホルダ収納部１４への挿入状態の鍵ホルダ１２とキーカバー５との関係を示す正面図である。同図に示すように、鍵ホルダ１２がホルダ収納部１４に挿入された挿入状態では、ホルダ延長部１２ｆは、ホルダ収納部１４から遠ざかる方向の先端部に位置する正面基準位置となる表示部１２ｃから、所定の形成幅で鉛直方向に延長して延びることにより、装置本体２の正面側における外部からの遮蔽領域を形成する。
【００４２】
すなわち、鍵ホルダ１２の表示部１２ｃ及びホルダ延長部１２ｆとキーカバー５とによりほぼ正面に隙間無く、鍵１０を外部から遮蔽する遮蔽領域が形成される。
【００４３】
したがって、ホルダ延長部１２ｆの表示部１２ｃからの延長部分の余裕によって、図７を用いて前述したように、鍵ホルダ１２のホルダ収納部１４への挿入動作を損ねることなく、キーカバー５と共に装置本体２の正面側からの遮蔽領域を形成することができる。
【００４４】
さらに、前述したように、キーカバー５には互いに隣接するホルダ延長部１２ｆ，１２ｆ間に立設して、鍵管理装置１の側面方向に沿って遮蔽領域を形成する仕切部５ａが設けられおり、互いに隣接する一組の仕切部５ａ，５ａが鍵１０に対する側面方向から視認を困難にしている。
【００４５】
すなわち、キーカバー５は、複数のホルダ収納部１４に対応して設けられた複数組の仕切部５ａ，５ａを有し、図７及び図８に示すように、各組の仕切部５ａ，５ａは、鍵ホルダ１２のホルダ収納部１４への挿入状態において、ホルダ延長部１２ｆの形成面に垂直に交差する装置本体２の側面方向において外部からの遮蔽領域を形成する。
【００４６】
このため、各組の仕切部５ａ，５ａの存在により、ホルダ延長部１２ｆに対向する方向（装置本体２の正面側方向）を基準として傾きを持たせた角度から（例えば、装置本体２の側面側から）の鍵１０の外部からの視認をも困難にすることにより、第三者の視認による悪用からの鍵１０に対する安全性をより高めることができる。
【００４７】
その結果、扉体３が開姿勢とされた状態においても、表示部１２ｃ及びホルダ延長部１２ｆとキーカバー５（仕切部５ａ）とによって形成される遮蔽領域によって、外部から鍵１０を接触不能に遮断することができる。
【００４８】
図９及び図１０はホルダ収納部部分の断面説明図である。なお、図９，図１０において、説明の都合上、仕切部５ａは図示していない。
【００４９】
各ホルダ収納部１４は、図９や図１０に示されるように、対応する鍵ホルダ１２が所定位置まで挿入可能なように、鍵ホルダ１２の識別手段に対応する構造の挿入孔１４ａをそれぞれ備えている。そして、これら各挿入孔１４ａの途中には、挿入された鍵ホルダ１２を位置決め状に保持するホルダ保持部１５と、鍵ホルダ１２の挿入・非挿入を検出するホルダ検知器１６と、挿入された鍵ホルダ１２を解除自在に抜止め状態にロックするホルダロック部１７とを備えている。
【００５０】
ホルダ保持部１５は、図９に示されるように、挿入孔１４ａの下面側より出没自在に突出状とされる球状の保持ボール１５ａと、保持ボール１５ａを突出方向に弾発付勢するコイルバネ等からなる付勢バネ１５ｂとを備え、付勢バネ１５ｂの付勢力により挿入孔１４ａ内に保持ボール１５ａの一部が突出するように付勢している。そして、鍵ホルダ１２の本体部１２ａが挿入される際には、本体部１２ａによって保持ボール１５ａは付勢バネ１５ｂの付勢力に抗して挿入孔１４ａ内より下方に押し込み退避され、本体部１２ａが所定位置まで挿入されると、本体部１２ａの下面に形成された位置決め凹部１２ｄと保持ボール１５ａとの配置位置が合致して、保持ボール１５ａが付勢バネ１５ｂによる付勢力により突出状態に復帰され、位置決め凹部１２ｄに保持ボール１５ａが嵌入されて、保持されるように構成されている。
【００５１】
ホルダ検知器１６は、マイクロスイッチ等からなり、図９に示されるように、挿入孔１４ａの奥部位置に挿入孔１４ａ内に突出する検知レバー１６ａを備え、挿入孔１４ａ内に鍵ホルダ１２の本体部１２ａが挿入される際に、図１０に示されるように、検知レバー１６ａが本体部１２ａによって挿入孔１４ａ内から退避する方向に揺動操作されることにより、対応する鍵ホルダ１２が挿入されたことを検知する構成とされている。
【００５２】
ホルダロック部１７は、鍵ホルダ１２のロック用のソレノイド装置１７ａと、ソレノイド装置１７ａの励磁・消磁により支軸１９回りに揺動操作自在に支持された揺動レバー１７ｂと、揺動レバー１７ｂの一方側端部に備えられた連動支持ピン部１７ｃに相対摺動自在に連結され、該揺動レバー１７ｂの上記揺動操作により、挿入孔１４ａ内にその上方側から出没操作自在とされるロック爪１７ｄとを備えている。
【００５３】
また、ロック爪１７ｄを昇降ガイドするガイド筒部１８が、ホルダ収納部１４の上面部に配置され、ガイド筒部１８の側面に形成されたガイド溝１８ａを通じて、前記揺動レバー１７ｂの連動支持ピン部１７ｃがロック爪１７ｄの係合孔に相対摺動自在に連結されている。
【００５４】
そして、ソレノイド装置１７ａが励磁されると、コイルバネ１７ｅの付勢力に抗して揺動レバー１７ｂの他方側端部が引き下ろされ、連動支持ピン部１７ｃを備えた一方側端部が上昇して、ロック爪１７ｄが上方に移動操作され、挿入孔１４ａ内より退避する。また、ソレノイド装置１７ａが消磁されると、コイルバネ１７ｅに蓄勢された付勢力により揺動レバー１７ｂの上記他方側端部が押し上げられ、連動支持ピン部１７ｃを備えた一方側端部が下降して、ロック爪１７ｄが下方に移動操作され、挿入孔１４ａ内に突出するように構成されている。
【００５５】
この挿入孔１４ａ内に突出するロック爪１７ｄの端面１７ｆは、下方向に向けて、鍵ホルダ１２が挿入される挿入方向手前側から奥側に漸次傾斜する傾斜面状に形成されている。そのため、ホルダ収納部１４に対する鍵ホルダ１２の挿入時に、本体部１２ａの挿入端が端面１７ｆに当接し、その当接状態でさらに挿入していけば、本体部１２ａと端面１７ｆとの相対摺動により、コイルバネ１７ｅの付勢力に抗して、ロック爪１７ｄが上方に押し上げられ、挿入孔１４ａ内から漸次退避されていく。そして、本体部１２ａが挿入されて所定位置に到着した状態で、本体部１２ａの上面に形成されたロック凹部１２ｅとロック爪１７ｄとの配置位置が合致し、ロック爪１７ｄがコイルバネ１７ｅに蓄勢された付勢力により突出状態に復帰される。この突出状態の復帰により、ロック凹部１２ｅにロック爪１７ｄが嵌入されて、抜止め状態にロックするように構成されている。
【００５６】
また、横方向に並設された各ホルダ収納部１４の下方位置には、各ホルダ収納部１４に挿入された鍵ホルダ１２に吊下げられた各鍵１０がキーカバー５との間に収容される収容空間部２０が形成されている。
【００５７】
さらに、図１０に示されるように、鍵ホルダ１２の鍵ホルダ１２をホルダ収納部１４に挿入した状態では、鍵ホルダ１２（表示部１２ｃ，ホルダ延長部１２ｆ）とキーカバー５とにより収容空間部２０の正面側において遮蔽領域の一部（第１の遮蔽領域）が形成される。また、図９，図１０では図示しないが、図１，図７で示した一組の仕切部５ａ，５ａによって、収容空間部２０の側面側において遮蔽領域の一部（第２の遮蔽領域）が形成される。その結果、鍵ホルダ１２のホルダ収納部１４への挿入状態時において、鍵ホルダ１２及びキーカバー５による遮蔽領域（上記第１の遮蔽領域＋上記第２の遮蔽領域）によって、各鍵ホルダ１２への外部から視認及び接触不能に覆われる構造とされている。
【００５８】
装置本体２の前面上部の一側には、タッチ操作によりカードの情報を読み取ることが可能とされた認証部としてのカードリーダ部２２が配置されている。このカードリーダ部２２で読み取られるカードは磁気カード、ＩＣカード等からなり、使用者用カードや管理者用カード等の複数種が適宜準備されている。
【００５９】
図１１は実施の形態１の鍵管理装置の制御構造を模式的に示すブロック図である。図１１に示されるように、カードリーダ部２２で読み取られた情報に基づき、鍵管理装置１を管理する制御部２３は、対応する扉ロック部８や対応するホルダロック部１７のロックを解除するように制御する。
【００６０】
例えば、鍵１０の貸し出しに際してカードリーダ部２２により使用者用カードの情報を読み取った場合には、その情報に対応するホルダ収納部１４におけるホルダロック部１７のロックを解除すると共に、そのホルダ収納部１４に対応する扉体３の扉ロック部８のロックを解除する。これにより、扉体３は扉開付勢バネの付勢力により開操作されて開姿勢となり、目的とする鍵１０が吊下げられた鍵ホルダ１２がホルダ収納部１４から離脱可能となる。
【００６１】
そして、ホルダ収納部１４から鍵ホルダ１２を取り出せば、ホルダ検知器１６による鍵ホルダ１２の検知が非検知となり、ここに、ソレノイド装置１７ａが消磁されて、ロック爪１７ｄが初期位置に戻される。
【００６２】
鍵１０の貸し出しに際して、当該鍵１０にアクセス権の無い（使用者用カードを有さない等）第三者が、仮に扉ロック部８のロックを解除して扉体３を開姿勢にするすることができても、前述したように、鍵ホルダ１２の表示部１２ｃ、ホルダ延長部１２ｆ及びキーカバー５（仕切部５ａ）による遮蔽領域によって、鍵１０を外部から接触不能に遮断するため、鍵１０の安全性は十分に確保できる。
【００６３】
すなわち、実施の形態１の鍵管理装置１に用いられる鍵ホルダ１２は、ホルダ収納部１４への挿入状態において、キーカバー５と共に遮蔽領域を形成することにより、吊り下げられた鍵１０を外部から接触不能に遮断するホルダ補助部材である表示部１２ｃ及びホルダ延長部１２ｆを有している。
【００６４】
このため、ホルダ収納部１４に挿入状態の鍵ホルダ１２に吊り下げられた鍵１０に対し、第三者からの鍵１０の接触による悪用を遮断することができるため、安全性を高めて貴重品を管理することができる効果を奏する。
【００６５】
さらに、実施の形態１は、複数のホルダ収納部１４及びキーカバー５を含む鍵群収納領域（貴重品群収納領域）を開閉自在とすると共に、各鍵ホルダ１２への視認及び接触不能に上記鍵群収納領域を閉鎖する閉姿勢で解除自在に扉ロック部８によりロックされる扉体３を有しているため、より一層、安全性を高めて鍵１０を管理することができる効果を奏する。
【００６６】
また、鍵１０の返却に際してカードリーダ部２２により使用者用カードの情報を読み取った場合には、その情報に対応するホルダ収納部１４に対応する扉体３の扉ロック部８のロックを解除する。これにより、扉体３は扉開付勢バネの付勢力により開操作されて開姿勢となり、目的とするホルダ収納部１４に対して鍵１０の返却が可能となる。
【００６７】
そして、ホルダ収納部１４に対して鍵ホルダ１２を挿入していけば、所定位置でホルダロック部１７のロック爪１７ｄと本体部１２ａのロック凹部１２ｅとが自動的に係合したロック状態が得られ、ホルダ検知器１６により鍵ホルダ１２が検知される。
【００６８】
これに対し、カードリーダ部２２により管理者用カードの情報を読み取った場合には、全てのホルダ収納部１４におけるホルダロック部１７のロックを解除すると共に、全ての扉体３の扉ロック部８のロックを解除する。これにより、各扉体３は扉開付勢バネの付勢力により開操作されて開姿勢となり、鍵１０が吊下げられた全ての鍵ホルダ１２がホルダ収納部１４から離脱可能となる。
【００６９】
また、図２に示されるように、装置本体２の前面上部に一側部で枢支され上部扉２５が備えられ、上面に備えられた鍵穴２６からの鍵操作によりロック解除自在とされ、上部扉２５の開姿勢で制御部２３のメンテナンス等が行えるように構成されている。
【００７０】
さらに、図２や図４に仮想線で示されるように、壁面等に取り付け自在とされる取付ブラケット２７を介して装置本体２が所望位置に取り付け可能に構成されている。なお、壁面等に取り付ける取付ブラケット２７に代えて、傾斜状の載置台に載置状に取り付ける構造等であってもよい。
【００７１】
また、目的とする鍵１０の取出しに際しては、カードリーダ部２２でのカード情報の読み取りによる認証によって、扉体３と対応するホルダ収納部１４のロックがそれぞれ解除されるため、目的とする鍵１０を鍵ホルダ１２と共に取出すことができ、その後、扉体３を閉姿勢に戻せば、扉体３が扉ロック部８により自動的にロックされるため、別途、ロックのための操作が不要となり、この点からも使い勝手に優れる利点がある。
【００７２】
さらに、各鍵ホルダ１２は、各ホルダ収納部１４に対する挿入によりホルダロック部１７でロックされる構造であり、別途、ロックのための操作が不要となり、この点からも使い勝手に優れる利点がある。
【００７３】
また、ホルダ収納部１４に挿入された鍵ホルダ１２に対するホルダロック部１７のロック状態が解除されても、ホルダ保持部１５の保持ボール１５ａと位置決め凹部１２ｄとの係合により、鍵ホルダ１２はホルダ収納部１４に良好に保持される。
【００７４】
＜実施の形態２＞
図１２は本発明の実施の形態２である鍵管理装置の正面図（扉体３の開状態）である。なお、図１２において、説明の都合上、扉体３の図示を省略している。また、図１２の平面図（上面図）、正面図（扉体３の閉状態）及び図１２の側面図は、実施の形態１で示した図２、図３及び図４とほぼ同様である。
【００７５】
図１２に示されるように、装置本体２側には、鍵１０がワイヤ１１等により吊下げられた複数の鍵ホルダ３２（貴重品ホルダ）が挿入されるホルダ収納部１４（鍵ホルダ３２に対向する位置に存在）が、横方向に複数並設されている。
【００７６】
また、複数の鍵ホルダ３２に対応し、対応する鍵ホルダ３２と一体化結合可能な個別キーカバー３５が複数個設けられる。複数の個別キーカバー３５はそれぞれ、個別キーカバー３５と一体化結合された鍵ホルダ３２のホルダ収納部１４への挿入時において、後に詳述するように、鍵ホルダ３２にワイヤ１１により吊り下げられた鍵１０が収容される空間部である鍵収容空間を完全に覆うように構成される。
【００７７】
（個別キーカバー３５の構造）
図１３は実施の形態２の鍵管理装置５１で用いられる個別キーカバー３５の構造を示す説明図である。同図(a) は正面構造、同図(b) は側面構造、同図(c) は平面（上面）構造をそれぞれ示している。
【００７８】
図１３に示すように、個別キーカバー３５は正面及び両側面の三面構成で形成されたカバー本体３５ａを主要部としている。個別キーカバー３５は、鍵ホルダ３２との一体化結合状態時において、カバー本体３５ａの上記三面内に形成される鍵収容空間に鍵１０を収容することができる。そして、カバー本体３５ａの上端部の正面側に上部基体３５ｂが設けられ、上部基体３５ｂの上部に平面視「ヘ」の字状の上部突出部３５ｃが立設され、上部基体３５ｂの正面側に平面視中空の半円状の正面突出部３５ｄが設けられる。さらに、カバー本体３５ａの下端部にシャフト取り付け部３５ｅが設けられ、シャフト取り付け部３５ｅの両側部下方に開口部３５ｏ（図１３(c) では１箇所のみ図示）が後述する回転用シャフト３０に回転可能に設けられる。
【００７９】
（鍵ホルダ３２の構造）
図１４は実施の形態２の鍵ホルダの詳細を示す説明図である。同図(a) は平面構造、同図(b) は側面構造、同図(c) は正面構造をそれぞれ示している。
【００８０】
各鍵ホルダ３２は、扁平なブロック状に形成された本体部３２ａと、本体部３２ａの先端部に結合され、平面視中空の三角形状の中間結合部３２ｂと、中間結合部３２ｂに結合され正面側に位置する表示部３２ｃと実施の形態１の鍵ホルダ１２のロック凹部１２ｅと同様なロック凹部３２ｅとを有している。なお、鍵ホルダ３２の下面には実施の形態１の凹部１２ｄと同様な凹部（図１４では図示せず）が設けられる。また、本体部３２ａの下面側に設けられた図示しないワイヤ取り付け部にワイヤ１１が取付けられる。また、ワイヤ１１にはワイヤ結合部材１３が設けられる。
【００８１】
（鍵ホルダ３２と個別キーカバー３５との一体化結合）
図１５は図１３で示した個別キーカバー３５と、図１４で示した鍵ホルダ３２との一体化結合状態を示す説明図である。同図(a) が平面構造を示し、同図(b) が側面構造を示している。
【００８２】
同図(a) に示すように、鍵ホルダ３２の中間結合部３２ｂの平面視中空の三角形状の中空内に個別キーカバー３５の上部突出部３５ｃが収まり、かつ中間結合部３２ｂの平面視三角形状の一頂点Ｐ２と個別キーカバー３５の平面視「へ」の字の屈曲点Ｐ５とが近接するように、個別キーカバー３５と鍵ホルダ３２とを位置決めすることにより、個別キーカバー３５に鍵ホルダ３２を一体化結合することができる。
【００８３】
（回転用シャフト３０への個別キーカバー３５の取り付け）
図１６及び図１７は一体化結合した鍵ホルダ３２及び個別キーカバー３５のホルダ収納部１４への挿入及び取り出し状況を模式的に示す説明図である。
【００８４】
図１６は、一組の鍵ホルダ３２及び個別キーカバー３５を鍵管理装置５１の側面方向から視た断面図を示している。図１７は、一組の鍵ホルダ３２及び個別キーカバー３５を鍵管理装置５１の正面斜め方向から視た斜視図を示している。
【００８５】
図１６及び図１７に示すように、装置本体２の正面の高さ方向下部の両端部に所定の高さで立設された一対のシャフト取付部３９，３９（図１７では片側のみ示す）間に挟み込まれて回転用シャフト３０が設けられる。なお、図１７において、実際には、複数の個別キーカバー３５が装置本体２の正面上に隣接形成されているが、説明の都合上、一の個別キーカバー３５のみ図示している。すなわち、回転用シャフト３０は複数の個別キーカバー３５間で所定の回転軸として共用されるように形成される。
【００８６】
さらに、一対のシャフト取付部３９，３９の表面部上間において、断面形状が「コ」の字状のストッパー３１が設けられる。このように、回転用シャフト３０及びストッパー３１は、複数の個別キーカバー３５間で共通利用可能なように、鍵管理装置５１の正面側上に横方向に延在して形成されている。
【００８７】
以下、図１６及び図１７で示した構造の組立方法について説明する。まず、回転用シャフト３０を挟み込んだ状態で上記一対のシャフト取付部３９，３９を、装置本体２における正面の高さ方向下部の両端に設置する。なお、一対のシャフト取付部３９，３９を装置本体２の正面に立設させた後、回転用シャフト３０がシャフト取付部３９，３９間に挟み込まれるように、回転用シャフト３０を取り付けても良い。
【００８８】
その後、図１６に示すように、シャフト取り付け部３５ｅの開口部３５ｏを回転用シャフト３０に取り付けて個別キーカバー３５を回転用シャフト３０を中心に回転可能にした後、図１６及び図１７に示すように、一対のシャフト取付部３９，３９の表面上にストッパー３１を取り付ける。したがって、ストッパー３１は回転用シャフト３０の形成方向に沿って回転用シャフト３０の上面近傍を覆うように設けられる。
【００８９】
その結果、一対のシャフト取付部３９，３９とストッパー３１とにより、回転用シャフト３０とシャフト取り付け部３５ｅとの取付部分が完全に覆われるため、回転用シャフト３０に取り付けた個別キーカバー３５の回転用シャフト３０からの取り外しが実質的に不可能となる。
【００９０】
（一体化結合した鍵ホルダ３２及び個別キーカバー３５のホルダ収納部１４に対する挿入及び取り出し）
次に、一体化結合した鍵ホルダ３２及び個別キーカバー３５のホルダ収納部１４に対する挿入及び取り出し動作について説明する。
【００９１】
まず、個別キーカバー３５により形成される鍵収容空間内に鍵１０（図１６，図１７では図示せず）を収納させた状態で、回転用シャフト３０を中心として回転方向Ｒ１（図１６参照）に一体化結合された個別キーカバー３５及び鍵ホルダ３２を回転させる。その結果、鍵ホルダ３２がホルダ収納部１４内に挿入され、実施の形態１の鍵管理装置１と同様に、最終的にホルダロック部１７により鍵ホルダ３２をロック状態にすることができる。
【００９２】
したがって、鍵ホルダ３２のホルダ収納部１４への挿入状態時において、鍵ホルダ３２に吊り下げられた鍵１０(図１６，図１７では図示せず）は、装置本体２とカバー本体３５ａの上記三面により完全に覆われるため、視認及び接触による外部からの鍵１０に対する第三者の悪用を全て遮断することができる。
【００９３】
すなわち、実施の形態２の鍵管理装置５１における鍵ホルダ３２と一体化結合状態の個別キーカバー３５、鍵ホルダ３２のホルダ収納部１４への挿入状態時に、鍵ホルダ３２に吊下げられた鍵１０を完全に覆い、鍵１０外部から視認及び接触不能に遮蔽している。
【００９４】
このため、挿入状態の鍵ホルダ３２に吊り下げられた鍵１０に対し、外部からの鍵１０の視認及び接触による第三者の悪用を完全に遮断することができるため、安全性を高めて鍵１０を管理することができる効果を奏する。
【００９５】
加えて、個別キーカバー３５はシャフト取り付け部３５ｅの開口部３５ｏを回転用シャフト３０に回転可能に取り付けるという比較的簡単な取付作業によって、鍵管理装置５１に複数の個別キーカバー３５を取り付けることができる効果を奏する。
【００９６】
加えて、回転用シャフト３０の形成方向に沿って設けられるストッパー３１の取り付け後は、一対のシャフト取付部３９，３９とストッパー３１とにより、回転用シャフト３０とシャフト取り付け部３５ｅとの取付部分が完全に覆われる。このため、回転用シャフト３０に取り付けた個別キーカバー３５の回転用シャフト３０からの取り外しを実質的に不能して個別キーカバー３５が第三者によって故意に外されるという危険性を確実に回避することができる。
【００９７】
また、ホルダロック部１７による鍵ホルダ３２のロック状態時において、鍵ホルダ３２と一体化結合されている個別キーカバー３５を回転方向Ｒ２（図１６参照）に回転させることは不可能となる。
【００９８】
一方、ホルダロック部１７によるロック状態を解除した後、個別キーカバー３５を回転用シャフト３０を中心にして回転方向Ｒ２に回転させ、図１７に示すように、個別キーカバー３５の下方端部をストッパー３１に当接させることにより、個別キーカバー３５の回転を停止させる。この状態で、鍵ホルダ３２を個別キーカバー３５の上方に移動させ、鍵ホルダ３２を個別キーカバー３５との一体結合状態から解放することにより、鍵ホルダ３２に吊り下げられた鍵１０を取り出すことができる。
【００９９】
この際、図１７に示すように、ストッパー３１により個別キーカバー３５の回転方向Ｒ２の余分な回転を阻止して、個別キーカバー３５の解放位置を適切な位置に設定することができるため、鍵ホルダ３２のホルダ収納部１４からの取り外し処理、及び個別キーカバー３５との一体化結合状態からの解放処理をスムーズに行うことができる。
【０１００】
さらに、実施の形態２は、実施の形態１と同様に（図３，図４参照）、複数のホルダ収納部１４及び複数の個別キーカバー３５を含む鍵群収納領域（貴重品群収納領域）を開閉自在とすると共に、各鍵ホルダ１２への視認及び接触不能に上記鍵群収納領域を閉鎖する閉姿勢で解除自在に扉ロック部８によりロックされる扉体３を有しているため、より一層、安全性を高めて鍵１０を管理することができる効果を奏する。
【０１０１】
また、扉体３と個別キーカバー３５と間の間隔を十分狭くすることにより、鍵ホルダ３２と個別キーカバー３５とが一体化結合されていない状態では、扉体３を閉姿勢にできない構造にすることにより、個別キーカバー３５と一体化結合されない状態で鍵ホルダ３をホルダ収納部１４に挿入するという誤操作を確実に回避することができる。
【０１０２】
なお、実施の形態２の鍵管理装置５１における、鍵ホルダ３２のホルダ収納部１４に対する挿入及び取り出し内容並びに制御構造は、図９〜図１１で示した実施の形態１の鍵管理装置１の場合と同様であるため、説明を省略する。
【０１０３】
＜その他＞
また、上記実施の形態においては、認証部としてカードリーダ部２２を用いた構造を示しているが、図１及び図１２の仮想線で示されるように、装置本体２の正面上部にテンキー等の操作キー部２９を設け、暗証番号をキー入力すること等により認証する構造であってもよく、さらには、カードリーダ部２２と操作キー部２９との組み合わせにより認証する構造であってもよい。
【０１０４】
また、認証部による鍵管理装置１（鍵管理装置５１）の制御方式も、上記に開示された制御に何ら限定されず、必要に応じた制御方式を適宜採用すればよい。
【０１０５】
さらに、扉体３が下端部で回動自在に支持された構造を示しているが、装置本体２の一側部で回動自在に支持される構造であってもよく、何ら実施の形態の構造に限定されない。
【０１０６】
また、挿入状態の複数の鍵ホルダ１２（鍵ホルダ３２）をそれぞれ解除自在に抜止め状態にロックするホルダロック部は、図９及び図１０で示したホルダロック部１７等に限定されることなく、他の方法によっても実現可能である。同様に鍵管理装置１（鍵管理装置５１）の制御構造も図１１に示した制御構造に限定されることなく他の制御構造によっても実現可能である。
【符号の説明】
【０１０７】
１，５１  鍵管理装置
２  装置本体
３  扉体
３ａ  開口部
５  キーカバー
８  扉ロック部
１０  鍵
１２，３２  鍵ホルダ
１４  ホルダ収納部
１７  ホルダロック部
２０  収容空間部
２２  カードリーダ部
３０  回転用シャフト
３１  ストッパー
３５  個別キーカバー
【図１】
0005619483.tif 000002
【図２】
0005619483.tif 000003
【図３】
0005619483.tif 000004
【図４】
0005619483.tif 000005
【図５】
0005619483.tif 000006
【図６】
0005619483.tif 000007
【図７】
0005619483.tif 000008
【図８】
0005619483.tif 000009
【図９】
0005619483.tif 000010
【図１０】
0005619483.tif 000011
【図１１】
0005619483.tif 000012
【図１２】
0005619483.tif 000013
【図１３】
0005619483.tif 000014
【図１４】
0005619483.tif 000015
【図１５】
0005619483.tif 000016
【図１６】
0005619483.tif 000017
【図１７】
0005619483.tif 000018